(57)【要約】【課題】清潔度を高く保つことができる便器装置を提供する。【解決手段】本発明の便器装置は、便鉢を有する便器と、便器に対して開閉可能に設けられた便座と、前記便器及び前記便座に対して開閉可能に設けられた便蓋と、前記便器の後方に設けられ、制御機構が収容されているカバーケースと、カバーケースの内部空間２９と便鉢の内側空間１４との間を移動可能に構成された吐水ノズル３５と、内部空間２９と内側空間１４との間を移動可能且つ内部空間２９及び内側空間１４に紫外線を照射可能に構成された紫外線照射器５０とを備える。【選択図】図３
2020186531.tif 000002
【特許請求の範囲】
【請求項１】
便鉢を有する便器と、
前記便器に対して開閉可能に設けられた便座と、
前記便器及び前記便座に対して開閉可能に設けられた便蓋と、
前記便器の後方に設けられ、制御機構が収容されているカバーケースと、
前記カバーケースの内部空間と前記便鉢の内側空間との間を移動可能且つ先端部から洗浄水を吐水可能に構成された吐水ノズルと、
前記内部空間と前記内側空間との間を移動可能且つ前記内部空間及び前記内側空間に紫外線を照射可能に構成された紫外線照射器と、
を備える便器装置。
【請求項２】
前記紫外線照射器は、前記内部空間と前記内側空間との間を移動する移動方向に沿って長尺な紫外線ランプで構成されている、
請求項１に記載の便器装置。
【請求項３】
前記内部空間に設けられ、前記吐水ノズル及び前記紫外線照射器を収容可能な収容ケースをさらに備える、
請求項１又は２に記載の便器装置。
【請求項４】
前記紫外線照射器は前記吐水ノズルの上方に配置されている、
請求項１から３の何れか一項に記載の便器装置。
【請求項５】
前記紫外線照射器が前記内部空間から前記内側空間に向けて突出し、且つ前記紫外線照射器が点灯しているときには、前記便蓋が閉じている、
請求項１から４の何れか一項に記載の便器装置。
【請求項６】
閉状態の前記便蓋において前記便器に対向する面に前記紫外線照射器から出射される紫外線を反射する紫外線反射材が設けられている、
請求項１から５の何れか一項に記載の便器装置。
【請求項７】
便鉢を有する便器に対して開閉可能に構成された便座と、
前記便器及び前記便座に対して開閉可能に構成された便蓋と、
前記便器の後方に設置可能に構成され、制御機構が収容されているカバーケースと、
前記カバーケースの内部空間と前記便鉢の内側空間との間を移動可能且つ先端部から洗浄水を吐水可能に構成された吐水ノズルと、
前記内部空間と前記内側空間との間を移動可能且つ前記内部空間及び前記内側空間に紫外線を照射可能に構成された紫外線照射器と、
を備える便座装置。
【発明の詳細な説明】
【技術分野】
【０００１】
本発明は、便器装置及び便座装置に関する。
【背景技術】
【０００２】
便器装置を清潔に保つための工夫が種々提案されている。例えば、特許文献１には、洗浄ノズル（吐水ノズル）を紫外線で殺菌する紫外線照射装置が開示されている。洗浄ノズルは、使用者の局部に向けて洗浄水を吐水する。
【先行技術文献】
【特許文献】
【０００３】
【特許文献１】特開２００６−２７４６４１号公報
【発明の概要】
【発明が解決しようとする課題】
【０００４】
特許文献１に開示されている紫外線照射装置では、紫外線でノズル収容室（収容ケース）の内部が殺菌されるが、便鉢の内側の表面や便蓋を閉じたときの便鉢の内側空間を殺菌できなかった。つまり、従来の便器装置では、吐水ノズル、吐水ノズルが収容されるカバーケースの内部空間、シャッター、便鉢及び便蓋の表面等のように汚れやカビが付着しやすい領域を全体的に殺菌するのが難しく、清潔度が低下する虞があった。
【０００５】
本発明は、清潔度を高く保つことができる便器装置及び便座装置を提供する。
【課題を解決するための手段】
【０００６】
本発明の便器装置は、便鉢を有する便器と、前記便器に対して開閉可能に設けられた便蓋と、前記便器の後方に設けられ、制御機構が収容されているカバーケースと、前記カバーケースの内部空間と前記便鉢の内側空間との間を移動可能且つ先端部から洗浄水を吐水可能に構成された吐水ノズルと、前記内部空間と前記内側空間との間を移動可能且つ前記内部空間及び前記内側空間に紫外線を照射可能に構成された紫外線照射器と、を備える。
【０００７】
上述の便器装置では、カバーケースの内部空間と便鉢の内側空間の双方に位置で紫外線照射器から紫外線が照射されることによって、便器装置において汚れやカビが付着しやすい領域が全体的に殺菌される。例えば、紫外線照射器がカバーケースの内部空間に位置しているときに点灯した場合は、カバーケースの内部空間が殺菌される。紫外線照射器が便鉢の内側空間に位置しているときに点灯した場合は、便鉢及び便座の内側の表面、及び閉状態の便蓋の下面が殺菌される。このように便器装置において汚れやカビが付着しやすい領域が全体的に殺菌されることによって、従来のようにノズル収容室のみの殺菌を行う便器装置や、便鉢の内側空間のみの殺菌を行う便器装置に比べて清潔度が高まる。
【０００８】
本発明の便器装置では、前記紫外線照射器は、前記内部空間と前記内側空間との間を移動する移動方向に沿って長尺な紫外線ランプで構成されていてもよい。
【０００９】
上述の便器装置では、紫外線照射器が上述のように長尺な紫外線ランプで構成されているので、点灯時には移動方向及び移動方向を軸芯とする径方向の略全方位に広く紫外線が照射され、広い範囲が効率的に殺菌される。また、紫外線照射器が１つの長尺な紫外線ランプで構成されるので、取り付け交換が容易になる。
【００１０】
本発明の便器装置では、前記内部空間に設けられ、前記吐水ノズル及び前記紫外線照射器を収容可能な収容ケースをさらに備えてもよい。
【００１１】
上述の便器装置では、吐水ノズルが収容されているときに収容ケースの内側の表面に汚れやカビが付着しやすくなるが、同じ収容ケースに紫外線照射器が収容可能であるため、紫外線照射器が収容ケース内で点灯することによって、収容ケースの内側の表面が殺菌され、清潔度が高まる。
【００１２】
本発明の便器装置では、前記紫外線照射器は前記吐水ノズルの上方に配置されていてもよい。
【００１３】
上述の便器装置では、紫外線照射器が吐水ノズルの側方に配置される場合に比べて、吐水ノズル及び紫外線照射器の通過領域及び設置スペースの左右方向の大きさが変動せず、大きな設計変更を求められない。また、カバーケースの内部空間から便鉢の内側空間に進出した吐水ノズルの上側の表面は、使用者の局部に略直接対向し、上側以外の表面に比べて水滴や汚物が付着しやすい。吐水ノズルの上方に紫外線照射器が配置されることによって、吐水ノズルの上側以外の表面に比べて上側の表面に紫外線が照射され、吐水ノズルにおいて水滴や汚物が付着しやすい上側の表面が殺菌されるため、清潔度が高まる。
【００１４】
本発明の便器装置では、前記紫外線照射器が前記内部空間から前記内側空間に向けて突出し、且つ前記紫外線照射器が点灯しているときには、前記便蓋が閉じていてもよい。
【００１５】
上述の便器装置では、便蓋が閉じているので、紫外線照射器がカバーケースの内部空間から便鉢の内側空間に向けて突出し、且つ前記紫外線照射器が点灯しても、便鉢の開口部から紫外線が便器装置の設置空間や使用者に対して不用意に照射されない。
【００１６】
本発明の便器装置では、閉状態の前記便蓋において前記便器に対向する面に前記紫外線照射器から出射される紫外線を反射する紫外線反射材が設けられていてもよい。
【００１７】
上述の便器装置では、便蓋が閉じた状態で、紫外線照射器がカバーケースの内部空間から便鉢の内側空間に向けて突出し、且つ前記紫外線照射器が点灯したとき、紫外線照射器から出射した紫外線が紫外線反射材によって反射される。このことによって、便鉢の内側空間に効率良く紫外線が照射されるので、便鉢の内側空間が殺菌され、清潔度が高まる。
【００１８】
本発明の便座装置は、便鉢を有する便器に対して開閉可能に構成された便座と、前記便器及び前記便座に対して開閉可能に構成された便蓋と、前記便器の後方に設置可能に構成され、制御機構が収容されているカバーケースと、前記カバーケースの内部空間と前記便鉢の内側空間との間を移動可能且つ先端部から洗浄水を吐水可能に構成された吐水ノズルと、前記内部空間と前記内側空間との間を移動可能且つ前記内部空間及び前記内側空間に紫外線を照射可能に構成された紫外線照射器と、を備える。
【００１９】
上述の便座装置は、任意の便器に取り付けられる。取り付けられた便座装置によれば、カバーケースの内部空間と便鉢の内側空間の双方に位置で紫外線照射器から紫外線が照射されることによって、便器装置において汚れやカビが付着しやすい領域が全体的に殺菌される。上述の便座装置を取り付けた便器装置において汚れやカビが付着しやすい領域が全体的に殺菌され、従来に比べて清潔度が高まる。
【発明の効果】
【００２０】
本発明の便器装置によれば、清潔度を高く保つことができる。
【図面の簡単な説明】
【００２１】
【図１】本発明の一実施形態の便器装置の斜視図であり、便蓋が閉じている状態を示す図である。
【図２】図１に示す便器装置において便蓋が開いている状態を示す図である。
【図３】図１に示す便器装置の吐水ノズル及び紫外線照射器とこれらの近傍のカバーケースの内部空間を前後方向に沿って見た斜視図であり、吐水ノズル及び紫外線照射器がカバーケースの内部空間に位置している状態を示す図である。
【図４】図３に示す吐水ノズル及び紫外線照射器の前側の部分が便鉢の内側空間に位置し、吐水ノズル及び紫外線照射器の後側の部分がカバーケースの内部空間に位置している状態を示す図である。
【図５】図１に示す便器装置における殺菌工程例１のタイミング図である。
【図６】図１に示す便器装置における殺菌工程例２のタイミング図である。
【図７】図１に示す便器装置における殺菌工程例３のタイミング図である。
【図８】吐水ノズル及び紫外線照射器の移動方向に沿って便鉢の内側空間からカバーケースの内部空間を見たときの吐水ノズルに対する紫外線照射器の相対位置を示す概略図である。
【図９】図８に示す構成に吐水ノズルが追加された状態を示す概略図である。
【図１０】図９に示す構成に紫外線照射器が追加された状態を示す概略図である。
【発明を実施するための形態】
【００２２】
本発明の一実施形態の便器装置について、図面を用いて説明する。図１及び図２は、本発明の一実施形態の便器装置１００の斜視図である。図１及び図２に示すように、便器装置１００は、便器１０と、便座２１と、便蓋２２と、カバーケース２５とを備えている。
【００２３】
便器１０は、便鉢１２を有する。便座２１は、便器１０に対して回転軸１１を中心に開閉可能に設けられている。便蓋２２は、便器１０に対して回転軸１１を中心に便座２１を介して開閉可能に設けられている。図１では、便座２１及び便蓋２２が閉状態になっている。図２では、便座２１は閉状態になっており、便蓋２２は開状態になっている。閉状態の便蓋２２は、便座２１を介して便鉢１２の開口部１６を上側から覆う。図１及び図２に示すように、閉状態の便蓋２２において便器１０に対向する面、即ち便蓋２２の下面２３には、紫外線反射材７０が設けられている。紫外線反射材７０の成分としては、例えば酸化チタン、酸化亜鉛等が挙げられる。なお、前述の成分を含む塗料が下面２３に塗布されていてもよい。
【００２４】
以下では、使用者が便座２１に着座した状態で視線の奥側を「前側」とし、同状態で使用者の背後側を「後側」とし、前側と後側とを結ぶ方向を前後方向Ｔ１という。また、便座２１に着座した利用者から見て左側を「左側」とし、右側を「右側」とし、左側と右側とを結ぶ方向を左右方向Ｔ２という。また、便器装置１００が設置されている床面から離れている側を「上側」とし、床面に近い側を「下側」とし、上側と下側とを結ぶ方向を上下方向Ｔ３という。
【００２５】
図１及び図２に示すように、便器１０の後方にはカバーケース２５が設けられている。カバーケース２５は、ベースプレート３２と、ベースプレート３２を覆うカバー２４で構成されている。カバーケース２５には、不図示の制御機構が収容されている。制御機構は、ベースプレート３２上に配置され、使用者の操作によって、又は自動的に、便器装置１００の構成要素を作動させ、各種機能を発現させる。例えば、便器装置１００では、使用者の操作によって、又は自動的な制御信号によって、使用後に、便器１０の上部に設けられたリムの下側周縁を介して便鉢１２の上端部の周方向全体から便鉢１２の内壁面に洗浄水が供給される。便鉢１２に貯留されていた洗浄水５は、汚物等と共に、便鉢１２の下端部に接続されている不図示の排水経路及び排水管を通って便器装置１００の外部に排出される。
【００２６】
図２に示すように、便器装置１００は、吐水ノズル３５と、紫外線照射器５０とをさらに備えている。カバーケース２５の前端、且つ左右方向Ｔ２の略中央部には、開口部４０が形成されている。開口部４０は、内部空間２９と内側空間１４とを連通させる。吐水ノズル３５及び紫外線照射器５０は、カバーケース２５の内部空間２９と便鉢１２の内側空間１４との間を、開口部４０を通って移動可能に構成されている。カバーケース２５には、開口部４０を開閉可能なシャッタ２６が設けられている。
【００２７】
本実施形態では、吐水ノズル３５及び紫外線照射器５０は、左右方向Ｔ２の略中央部のベースプレート３２の上に、左右方向Ｔ２に互いに隣り合って配置されている。吐水ノズル３５及び紫外線照射器５０は、内部空間２９から前方に進むにしたがって下降するように、内部空間２９から内側空間１４へ移動可能に配置されている。以下、吐水ノズル３５及び紫外線照射器５０が前述のように移動する方向を移動方向Ｔ４とする。吐水ノズル３５と紫外線照射器５０とは、制御機構によって、個別に移動可能に構成され、連動して移動可能にも構成されている。
【００２８】
図３及び図４は、吐水ノズル３５及び紫外線照射器５０とこれらの近傍の内部空間２９を前後方向Ｔ１に沿って見た斜視図である。図３では、吐水ノズル３５及び紫外線照射器５０は、内部空間２９に位置している。図４では、吐水ノズル３５及び紫外線照射器５０の前側の部分は、内側空間１４に位置し、吐水ノズル３５及び紫外線照射器５０の後側の部分は、内部空間２９に位置している。図３及び図４に示すように、吐水ノズル３５及び紫外線照射器５０は、ガイドレール４２，４４に載せられている。上述のように、吐水ノズル３５及び紫外線照射器５０が内部空間２９から前方に進むにしたがって下降するように、ガイドレール４２，４４の少なくとも吐水ノズル３５及び紫外線照射器５０が載っている載置面は、後端から前方に進むにしたがって下降している。各ガイドレール４２，４４には、不図示のラックピニオン機構が接続されている。吐水ノズル３５及び紫外線照射器５０は、ラックピニオン機構によって移動方向Ｔ４に沿って移動する。
【００２９】
図３及び図４では、吐水ノズル３５及び紫外線照射器５０の構造をわかりやすく示すため、シャッタ２６については輪郭のみ二点鎖線で図示されている。図３及び図４に示すように、シャッタ２６は、シャッタ支持機構２７によって支持され、シャッタ支持機構２７を介してベースプレート３２に取り付けられている。シャッタ２６は、吐水ノズル３５及び紫外線照射器５０の少なくとも一方が内部空間２９から内側空間１４に向かって移動して開口部４０を通過する際に、開口部４０の上方又は下方に回転可能に構成されている。図４には、シャッタ２６が開口部４０の上方に回転している状態が図示されている。
【００３０】
便器装置１００の機能の１つとして、使用者の局部を洗浄する機能が挙げられる。吐水ノズル３５は、使用者の局部を洗浄するための局部洗浄ノズルとして機能する。図３に示すように、吐水ノズル３５の後端部には、給水管３６が接続されている。図４に示すように、吐水ノズル３５の前端部において上側を向く周面には、複数の吐水口３７が形成されている。給水管３６を通って吐水ノズル３５の内部に供給された洗浄水は、複数の吐水口３７から使用者に対して後側斜め下側から前側斜め上側に向けて的確に吐出される。
【００３１】
便器装置１００の上述の局部洗浄機能とは別の機能として、便器装置１００において汚れやカビが付着しやすい領域を殺菌する機能が挙げられる。紫外線照射器５０は、汚れやカビが付着しやすい領域を殺菌するために設けられている。図３及び図４に示すように、本実施形態の紫外線照射器５０は、移動方向（内部空間と内側空間との間を移動する移動方向）Ｔ４に沿って長尺な紫外線ランプ５１と、紫外線照射器５０の後端部に配置されているソケット５２で構成されている。ソケット５２には、給電管５６が接続され、紫外線ランプ５１が着脱可能に接続されている。
【００３２】
内部空間２９には、吐水ノズル３５及び紫外線照射器５０を収容可能な収容ケース６０が設けられている。収容ケース６０には、吐水ノズル３５及び紫外線照射器５０の他に、ガイドレール４２，４４が収容されている。給水管３６及び給電管５６は、収容ケース６０の内外に貫通している。
【００３３】
次に、上述の便器装置１００において、汚れやカビが付着しやすい領域が殺菌される工程を説明する。何れの殺菌工程においても、便蓋２２、シャッタ２６が閉状態であり、吐水ノズル３５及び紫外線照射器５０が内部空間２９（即ち、収容ケース６０の内部）に位置し、紫外線照射器５０が消灯している状態を初期状態として説明する。また、各殺菌工程における便蓋２２及びシャッタ２６の開閉、吐水ノズル３５及び紫外線照射器５０の移動、紫外線照射器５０の点灯及び消灯は、カバーケース２５に収容されている制御機構によって制御される。
【００３４】
［殺菌工程例１：収容ケース６０の内側の面の殺菌］
少なくともシャッタ２６は閉じており、好ましくは便蓋２２も閉じている。シャッタ２６及び便蓋２２の閉状態が確認された後、紫外線照射器５０が点灯する。紫外線照射器５０から軸線を中心とする径方向の外側且つ周方向の全体に亘って紫外線が出射される。紫外線照射器５０から出射された紫外線は、収容ケース６０の内側の面に照射され、収容ケース６０の内側の面に付着した汚れやカビを殺菌する。所定の時間が経過した後、紫外線照射器５０が消灯する。図５は、本殺菌工程のタイミング図である。本殺菌工程は、例えば１日に１回程度、夜間に行われる。
【００３５】
［殺菌工程例２：収容ケース６０の内部と内側空間１４との間の内部空間２９における各部材の殺菌］
少なくとも便蓋２２は、閉じている。便蓋２２の閉状態が確認された後、シャッタ２６が開き、紫外線照射器５０が点灯すると共に、内部空間２９と内側空間１４との間を移動する。紫外線照射器５０が点灯した状態での紫外線照射器５０の内部空間２９と内側空間１４との間の紫外線照射器５０の移動は、片道１回、往復１回、往復複数回の何れで行われてもよい。所定の時間が経過した後、紫外線照射器５０が消灯する。図６は、本殺菌工程のタイミング図であり、紫外線照射器５０の内部空間２９と内側空間１４との間の紫外線照射器５０の移動が片道１回であるパターンを示している。本殺菌工程は、例えば１日に１回程度、夜間に行われる。
【００３６】
［殺菌工程例３：内部空間２９における便鉢１２の内側の面の殺菌］
少なくとも便蓋２２は、閉じている。便蓋２２の閉状態が確認された後、シャッタ２６が開き、紫外線照射器５０が内部空間２９から内側空間１４に移動する。内側空間１４に到達した紫外線照射器５０は点灯し、所定の時間が経過した後、消灯する。図７は、本殺菌工程のタイミング図であり、本殺菌工程は、例えば使用者の使用頻度に応じて適時に行われ、例えば５回の使用後毎に行われてもよく、各使用後に行われてもよい。
【００３７】
上述の各殺菌工程において、吐水ノズル３５は、紫外線照射器５０と連動して移動する、或いは移動方向Ｔ４において紫外線照射器５０とは互いの先端同士が略同じ位置にあってもよい。移動方向Ｔ４において吐水ノズル３５が紫外線照射器５０と重なる位置にある場合、紫外線照射器５０の点灯時には、各殺菌工程の殺菌対象の領域に加えて吐水ノズル３５の表面が殺菌される。
【００３８】
便器装置１００は、上述の殺菌工程を順不同且つ適時に行うことができる。各殺菌工程の直前に別の機能が発揮された場合は、その機能の発揮時における便蓋２２及びシャッタ２６の開閉状態、吐水ノズル３５及び紫外線照射器５０の位置、紫外線照射器５０の点灯状態から上述の各殺菌工程に移行できる。
【００３９】
例えば、使用者の局部を洗浄した後に、上述の殺菌工程例３、殺菌工程例２、殺菌工程例１が行われる場合について説明する。使用者の局部を洗浄した直後には、便蓋２２及びシャッタ２６は開状態であり、吐水ノズル３５は内側空間１４に位置し、紫外線照射器５０は内部空間２９の収容ケース６０内に位置している。使用者が便器装置１００から離れたことが確認された後、便蓋２２が閉じる。便蓋２２が完全に閉じた後、紫外線照射器５０が内部空間２９から内側空間１４に移動し、移動方向Ｔ４において吐水ノズル３５と略同じ位置に到達した後、点灯する。所定の時間の経過後、紫外線照射器５０が点灯した状態で、吐水ノズル３５及び紫外線照射器５０が内側空間１４から内部空間２９に移動し、シャッタ２６が閉じ、吐水ノズル３５及び紫外線照射器５０が収容ケース６０に収容される。紫外線照射器５０は、収容ケース６０に収容されてから所定の時間経過後に消灯する。
【００４０】
以上説明した本実施形態の便器装置１００は、便鉢１２を有する便器１０と、便器１０に対して開閉可能に設けられた便蓋２２と、便器１０の後方に設けられ、制御機構が収容されているカバーケース２５と、内部空間２９と内側空間１４との間を移動可能且つ先端部から洗浄水を吐水可能に構成された吐水ノズル３５と、内部空間２９と内側空間１４との間を移動可能且つ内部空間２９及び内側空間１４に紫外線を照射可能に構成された紫外線照射器５０と、を備える。これらの構成を備えた便器装置１００では、少なくとも内部空間２９と内側空間１４、加えて移動方向Ｔ４の内部空間２９と内側空間１４との間の任意の位置で紫外線照射器５０から紫外線を出射可能である。このことによって、便器装置１００によれば、汚れやカビが付着しやすい領域を全体的に殺菌できる。例えば、上述の殺菌工程例１のように、紫外線照射器５０が内部空間２９に位置しているときに紫外線照射器５０を点灯させた場合は、内部空間２９及び内部空間２９に配置されている各種部材を殺菌できる。上述の殺菌工程例２のように、紫外線照射器５０が内部空間２９と内側空間１４との間に位置しているときに紫外線照射器５０を点灯させた場合は、吐水ノズル３５の移動領域、即ち内部空間２９と内側空間１４との間の領域及びこの領域に位置する各種部材を殺菌できる。この場合、内部空間２９と内側空間１４との間の領域に位置する部材には例えばシャッタ２６が含まれ、閉状態のシャッタ２６の後側の面も殺菌できる。上述の殺菌工程例３のように、紫外線照射器５０が内側空間１４に位置しているときに紫外線照射器５０を点灯させた場合は、便鉢１２及び便座２１の内側の表面、及び便蓋２２の下面２３を殺菌できる。このように便器装置１００において汚れやカビが付着しやすい領域が全体的に殺菌されることによって、従来のようにノズル収容室のみの殺菌を行う便器装置や、便鉢の内側空間のみの殺菌を行う便器装置に比べて清潔度を高めることができる。したがって、便器装置１００によれば、清潔度を高く保つことができる。
【００４１】
本実施形態の便器装置１００では、紫外線照射器５０が移動方向Ｔ４に沿って長尺な紫外線ランプ５１で構成されているので、紫外線ランプ５１の点灯時には移動方向Ｔ４及び移動方向Ｔ４を軸芯とする径方向の略全方位に広く紫外線を照射し、広い範囲を効率的に殺菌できる。また、便器装置１００によれば、紫外線照射器５０を１つの長尺な紫外線ランプ５１で構成し、紫外線照射器５０のメンテナンスやソケット５２への紫外線ランプ５１の装着及び交換を容易にできる。
【００４２】
本実施形態の便器装置１００では、内部空間２９に設けられ、吐水ノズル３５及び紫外線照射器５０を収容可能な収容ケース６０をさらに備えている。局部洗浄後の吐水ノズル３５が収容されるときに収容ケース６０の内側の面に汚れやカビが付着しやすくなるが、同じ収容ケース６０に紫外線照射器５０が収容された状態で紫外線照射器５０を点灯させることによって、収容ケース６０の内側の面を殺菌できる。このことによって、便器装置１００によれば、内部空間２９において局部洗浄後の吐水ノズル３５に起因して汚れやカビが発生し得る領域を収容ケース６０の内側の領域に抑え、清潔度を効率良く高めることができる。
【００４３】
本実施形態の便器装置１００では、紫外線照射器５０が内部空間２９から内側空間１４に向けて突出し、且つ紫外線照射器５０が点灯しているときには、便蓋２２が閉じている。このことによって、便器装置１００によれば、紫外線照射器５０が点灯しても、便鉢１２の開口部１６から紫外線が便器装置１００の設置空間や使用者に対して不用意に照射されることを防止できる。
【００４４】
本実施形態の便器装置１００では、便蓋２２の下面２３に紫外線照射器５０から出射される紫外線を反射する紫外線反射材７０が設けられている。このことによって、便蓋２２が閉じた状態で、紫外線照射器５０が内側空間１４に位置し、且つ点灯したとき、紫外線照射器５０から上方に出射した紫外線が紫外線反射材７０によって反射され、内側空間１４及び便鉢１２の内側の面、局部洗浄後の吐水ノズル３５に照射される。したがって、便器装置１００によれば、内側空間１４及び便鉢１２の内側の面、局部洗浄後の吐水ノズル３５に効率良く紫外線を照射し、これらの領域及び部材を殺菌し、清潔度を高めることができる。
【００４５】
本実施形態の便座装置１１０は、上述のように便器１０に対して開閉可能に構成された便座２１と、便器１０及び便座２１に対して開閉可能に構成された便蓋２２と、便器１０の後方に設置可能に構成されて制御機構が収容されているカバーケース２５と、内部空間２９と内側空間１４との間を移動可能且つ先端部から洗浄水を吐水可能に構成された吐水ノズル３５と、内部空間２９と内側空間１４との間を移動可能且つ内部空間２９及び内側空間１４に紫外線を照射可能に構成された紫外線照射器５０と、を備える。
本実施形態の便座装置１１０によれば、便器１０に取り付けられることによって、便器装置１００と同様に、汚れやカビが付着しやすい領域を全体的に殺菌し、従来のようにノズル収容室のみの殺菌を行う便器装置や便鉢の内側空間のみの殺菌を行う便器装置に比べて清潔度を高く保つことができる。
【００４６】
なお、本発明の便器装置は、上述した実施形態の便器装置１００に限定されるものではなく、本発明の要旨を逸脱しない範囲で適宜変更可能である。また、本発明の便器装置の各構成要素は、本発明の要旨を逸脱しない範囲で公知の構成に置換可能である。
【００４７】
例えば、上述の実施形態の便器装置１００では紫外線照射器５０が吐水ノズル３５の側方に設けられているが、本発明の便器装置の紫外線照射器は吐水ノズルに対して任意の位置に配置されていてよい。
【００４８】
なお、図８に示すように、本発明の便器装置では、紫外線照射器５０は吐水ノズル３５の上方に配置されていてもよい。図８は、移動方向Ｔ４に沿って内側空間１４から内部空間２９を見たときの吐水ノズル３５に対する紫外線照射器５０の相対位置を示す概略図である。紫外線照射器５０が吐水ノズル３５の上方に配置されていることによって、紫外線照射器５０が吐水ノズル３５の側方に配置される場合に比べて、開口部４０や吐水ノズル３５及び紫外線照射器５０の設置スペース、収容ケース６０の左右方向Ｔ２の大きさが変動せず、カバーケース２５等の大きな設計変更をせずに済む。また、内部空間２９から内側空間１４に進出した吐水ノズル３５の上側の表面は、使用者の局部洗浄中に局部に略直接対向し、上側以外の表面に比べて水滴や汚物が付着しやすい。紫外線照射器５０が吐水ノズル３５の上方に配置されていることによって、吐水ノズル３５の上側以外の表面に比べて上側の表面に紫外線を照射し、吐水ノズル３５の上側の表面を良好に殺菌できる。このことによって、便器装置１００の清潔度を高めることができる。
【００４９】
また、上述の実施形態の便器装置１００は使用者の局部洗浄用の吐水ノズル３５のみを備えているが、本発明の便器装置は複数の吐水ノズルを備えていてもよい。例えば、本発明の便器装置は局部洗浄用の吐水ノズルに加えて、ビデ機能を有する吐水ノズルを備えていてもよい。図９は、ビデ機能を有する吐水ノズル３８が設けられた場合において、移動方向Ｔ４に沿って内側空間１４から内部空間２９を見たときの吐水ノズル３５，３８に対する紫外線照射器５０の相対位置を示す概略図である。図９に示すように、吐水ノズル３８が吐水ノズル３５の側方に配置され、紫外線照射器５０が吐水ノズル３５，３８の左右方向Ｔ２の略中央且つ上方に配置されていてもよい。
【００５０】
また、上述の実施形態の便器装置１００は１本の紫外線照射器５０を備えているが、本発明の便器装置は複数の紫外線照射器を備えていてもよい。例えば、本発明の便器装置は吐水ノズルの上方に配置された紫外線照射器及び吐水ノズルの下方に配置された紫外線照射器を備えていてもよい。図１０は、図９に示す吐水ノズル３５，３８の下方に紫外線照射器５３が設けられた場合において、移動方向Ｔ４に沿って内側空間１４から内部空間２９を見たときの吐水ノズル３５，３８に対する紫外線照射器５０，５３の相対位置を示す概略図である。図１０に示すように、吐水ノズル３５，３８の上方及び下方の双方に紫外線照射器５０，５３が配置されることによって、１本の紫外線照射器５０のみが配置される場合に比べて、吐水ノズル３５，３８の表面全体をはじめとする殺菌対象領域に対して強い紫外線を照射し、殺菌対象領域を良好に殺菌できる。このことによって、便器装置１００の清潔度をさらに高めることができる。
【００５１】
図８から図１０に例示したように紫外線照射器５０が吐水ノズル３８の上方に設けられる場合は、移動方向Ｔ４において吐水ノズル３８が紫外線照射器５０よりも前方に進出可能になっている。移動方向Ｔ４において吐水ノズル３８が紫外線照射器５０よりも前方に進出した状態では、吐水ノズル３８から吐出された洗浄水が紫外線照射器５０にかからず、使用者の局部にかかり、且つ紫外線照射器５０が濡れずに済む。
【００５２】
また、上述の実施形態の便器装置１００では紫外線照射器５０が紫外線ランプ５１を備えているが、紫外線照射器５０の構成は内部空間２９と内側空間１４との間を移動可能且つ紫外線を照射可能であれば特に限定されない。例えば、紫外線照射器５０は、樹脂製のノズル本体の外周面に複数の紫外線出射チップが配置されているものであってもよい。
【００５３】
また、上述の実施形態の便器装置１００では便蓋２２の下面２３に紫外線反射材７０が設けられているが、便蓋２２が紫外線を透過可能な素材で形成されていれば紫外線反射材７０は便蓋２２の内部に埋設されていてもよい。便蓋２２が紫外線を反射可能な素材で形成されていてもよい。
【００５４】
また、上述の実施形態の便器装置１００及び便座装置１１０では紫外線照射器５０は吐水ノズル３５とは離れて配置されているが、紫外線照射器５０は吐水ノズル３５に取り付けられていてもよい。例えば、吐水ノズル３５の周面に前述の紫外線出射チップが周方向及び軸方向に複数配置されていてもよい。このような構成によれば、吐水ノズル３５及び紫外線照射器５０の省スペース化を図ることができる。
【００５５】
また、上述の実施形態の便器装置１００及び便座装置１１０において、収容ケース６０やカバーケース２５の内側の面の全体又は所定の一部分に、紫外線反射材７０と同様の紫外線反射材が設けられていてもよい。このような構成によれば、紫外線照射器５０が収容ケース６０の内部や内部空間２９で点灯し、紫外線が照射された際に、紫外線を紫外線反射材によって反射させ、収容ケース６０及びカバーケース２５の内側の面や収容ケース６０の内部及び内部空間２９を効率良く殺菌し、清潔度を高めることができる。
【００５６】
また、上述の実施形態の便器装置１００及び便座装置１１０の制御装置は、紫外線照射器５０が点灯しているときには便蓋２２を閉じているように制御することに加えて、便蓋２２が開いているときには紫外線照射器５０を点灯しないように制御してもよい。このような構成によれば、便鉢１２の開口部１６を通して紫外線照射器５０からの紫外線が便器装置１００の設置空間や使用者に対して不用意に照射されることを前述のように制御しない場合に比べて確実に防止できる。
【００５７】
また、上述の実施形態の便器装置１００及び便座装置１１０に人体検知センサが設けられ、制御装置は人体検知センサが人体即ち使用者を検知している間は紫外線照射器５０を点灯しないように制御してもよい。このような構成によれば、使用者が便器装置１００や便座装置１１０を使用している間は紫外線照射器５０が点灯せず、紫外線照射器５０からの紫外線が使用者に対して不用意に照射されることを前述のように制御しない場合に比べて確実に防止できる。
【００５８】
また、上述の実施形態の便器装置１００及び便座装置１１０では、閉状態における便座２１の下面、即ち便座２１の裏面に紫外線照射器５０からの紫外線が照射されてもよい。例えば、使用者が便器装置１００や便座装置１１０を使用してない状態で、制御装置が便蓋２２及び便座２１を開状態にし、紫外線照射器５０を内側空間１４で点灯させてもよい。
同様に、上述の実施形態の便器装置１００及び便座装置１１０では、閉状態における便座２１の下面、即ち便座２１の裏面に紫外線照射器５０からの紫外線が照射されてもよい。例えば、使用者が便器装置１００や便座装置１１０を使用してない状態で、制御装置が便蓋２２を閉状態又は略半開状態且つ便座２１を閉状態にし、紫外線照射器５０を内側空間１４で点灯させ、紫外線を紫外線反射材７０で反射させてもよい。
上述の構成によれば、汚れやカビが付着する可能性がある便座２１の下面や上面を清潔にすることができる。
【００５９】
また、上述の実施形態の便器装置１００及び便座装置１１０では、吐水ノズル３５から吐出される洗浄水に紫外線照射器５０からの紫外線が照射されてもよい。このことによって、洗浄水が殺菌される。例えば、吐出口３７の周囲に、紫外線の出射方向を吐水ノズル３５から吐出される洗浄水のみに向けて紫外線照射器を設け、この紫外線照射器からの紫外線が開口部４０に到達しないようにする反射カバー等が設けられていてもよい。
【００６０】
また、上述の実施形態の便器装置１００及び便座装置１１０では、吐水ノズル３５は、紫外線照射器５０と非連動で移動する、或いは移動方向Ｔ４において紫外線照射器５０とは互いの先端同士が異なる位置にあってもよい。制御装置によって移動方向Ｔ４における互いの相対移動位置が異なるように吐水ノズル３５と紫外線照射器５０の移動が制御されれば、吐水ノズル３５の広い範囲に紫外線照射器５０からの紫外線を照射できる。このことによって、吐水ノズル３５の広い範囲を殺菌し、清潔に保つことができる。
【符号の説明】
【００６１】
１０…便器
１２…便鉢
２１…便座
２２…便蓋
１４…内側空間
２５…カバーケース
２９…内部空間
３５，３８…吐水ノズル
５０，５３…紫外線照射器
６０…収容ケース
７０…紫外線反射材
１００…便器装置
１１０…便座装置
【図１】
2020186531.tif 000003
【図２】
2020186531.tif 000004
【図３】
2020186531.tif 000005
【図４】
2020186531.tif 000006
【図５】
2020186531.tif 000007
【図６】
2020186531.tif 000008
【図７】
2020186531.tif 000009
【図８】
2020186531.tif 000010
【図９】
2020186531.tif 000011
【図１０】
2020186531.tif 000012